(57)【特許請求の範囲】
【請求項１】
複数の光源が配列された基板と、
前記基板の端面から前記光源の照射方向側に張り出して、前記基板を囲って多角形を形成するように配置された壁部とを備え、
前記壁部のうち少なくとも１つが、前記光源側の面を反射面とすることを特徴とする車両用灯火装置。
【請求項２】
前記光源は、ｍ行×Ｎ列の行列をなして配列され、
前記反射面は、前記行列の行方向に沿って上下で対向する２つの水平面と、前記行列の列方向に沿って左右で対向する２つの垂直面とからなることを特徴とする請求項１に記載の車両用灯火装置。
【請求項３】
同一行内の前記光源を距離Ｄ１で等間隔に配置すると共に、行両端の光源とこれに隣接する前記反射面との距離をそれぞれ距離Ｄ２とした際に、
前記距離Ｄ２を、（１／３）×Ｄ１以上かつ（２／３）×Ｄ１以下としたことを特徴とする請求項２に記載の車両用灯火装置。
【請求項４】
同一列内の前記光源を距離Ｓ１で等間隔に配置すると共に、列両端の光源とこれに隣接する前記反射面との距離をそれぞれ距離Ｓ２とした際に、
前記距離Ｓ２を、（１／３）×Ｓ１以上かつ（２／３）×Ｓ１以下としたことを特徴とする請求項２に記載の車両用灯火装置。
【請求項５】
同一行内の前記光源を距離Ｄ１で等間隔に配置すると共に、列両端の光源とこれに隣接する前記反射面との距離をそれぞれ距離Ｓ２とした際に、
前記距離Ｓ２を、（１／３）×Ｄ１以上かつ（２／３）×Ｄ１以下としたことを特徴とする請求項２に記載の車両用灯火装置。
【請求項６】
同一列内の前記光源を距離Ｓ１で等間隔に配置すると共に、行両端の光源とこれと隣接する前記反射面との距離をそれぞれ距離Ｄ２とした際に、
前記距離Ｄ２を、（１／３）×Ｓ１以上かつ（２／３）×Ｓ１以下としたことを特徴とする請求項２に記載の車両用灯火装置。
【請求項７】
一方側の垂直面の反射面の縁端部と前記光源との間の距離と、他方側の垂直面の反射面の縁端部と前記光源との間の距離が異なるように構成されていることを特徴とする請求項２に記載の車両用灯火装置。
【請求項８】
前記基板が、前記２つの垂直面に対して傾斜して配設されていることを特徴とする請求項７に記載の車両用灯火装置。
【請求項９】
複数の光源が配列された基板と、
前記光源の照射方向側で前記基板を囲って設けられ、前記光源側の面を反射面とした４つの壁部とを具備し、
前記光源は、１行×Ｎ列の行列をなして配列され、
前記反射面は、前記行列の行方向に沿って上下で対向する２つの水平面と、前記行列の列方向に沿って左右で対向する２つの垂直面とからなり、
前記基板は、前記反射面と略垂直に配設され、
前記上下で対向する２つの反射面のうち、上側の反射面の縁端部と前記光源との間の距離を距離ｈ５とすると共に、下側の反射面の縁端部と前記光源との間の距離を距離ｈ６とし、
前記上側の反射面と前記光源との間の距離を距離Ｓ３とすると共に、前記下側の反射面と前記光源との間の距離を距離Ｓ４とした際に、
前記距離ｈ６を、Ｓ３以上かつｈ５以上とすることを特徴とする車両用灯火装置。
【請求項１０】
前記距離ｈ５を、Ｓ３×（√３）以下とし、
前記距離ｈ６を、Ｓ４×（√３）以上とすることを特徴とする請求項９に記載の車両用灯火装置。
【発明の詳細な説明】
【技術分野】
【０００１】
本発明は、車両用灯火装置に係り、特に、灯火装置の照射方向に対して所定角度を有する斜め方向から見た場合でも、灯火の被視認性を保つことができる車両用灯火装置に関する。
【背景技術】
【０００２】
従来から、自動二輪車等の車両に取り付けられて、他車の乗員や歩行者等に対して光を発する灯火装置に関して、灯火の被視認性や外観デザイン性を高めたり、製造コストの低減を図るための種々の構造が検討されている。
【０００３】
特許文献１には、光源としての発光ダイオードが取り付けられた光源取付面の周囲に複数の反射面を配置することで、灯火装置の照射方向から見た際に、発光ダイオードの数が実際の数より多く見えるようにした車両用の灯火装置が開示されている。
【特許文献１】特開２０００−３３１５０９号公報
【発明の開示】
【発明が解決しようとする課題】
【０００４】
車両に取り付けられた灯火装置を他車の乗員や歩行者等の視認者が見る場合、灯火装置の照射方向が車体前方側に向いている場合であっても、視認者は、この灯火装置を正面以外の方向から見る機会が多い。例えば、対向車線を走行中の他車の乗員が、走行中の自車の車体前方に取り付けられた灯火装置を見る場合、前方を直視している他車の乗員から見た目線方向に対する灯火装置の角度は、両車の距離が縮まるにつれて、両車間の距離が十分に開いた状態の略ゼロ度から、両車がすれ違う時点の略９０度まで順次変化する。また、歩行者が、停車中の車両の車体前方に取り付けられた灯火装置を見る場合、灯火装置を見る歩行者の目線の方向は、歩行者と自車との距離に応じて変化する。このように、視認者は、車両の灯火装置を、その照射方向から所定角度を有した斜め方向から見る機会が多いこととなる。このため、車両の灯火装置は、これを斜めから見た場合でも被視認性が低下することのない構成を有することが好ましい。
【０００５】
特許文献１に記載された灯火装置においては、複数の反射面を配置することで灯火装置を正面から見たときの発光ダイオードの数を実際の数より多く見せることを可能とするものの、灯火装置を斜め方向から見た際の見え方に関しては、特に配慮がされていなかった。
【０００６】
本発明の目的は、上記従来技術の課題を解決し、灯火装置の照射方向に対して所定角度を有する斜め方向から見た場合でも、灯火の被視認性を保つことができる車両用灯火装置を提供することにある。
【課題を解決するための手段】
【０００７】
前記目的を達成するために、本発明は、複数の光源が配列された基板と、前記基板の端面から前記光源の照射方向側に張り出して、前記基板を囲って多角形を形成するように配置された壁部とを備え、前記壁部のうち少なくとも１つが、前記光源側の面を反射面とする点に第１の特徴がある。
【０００８】
また、前記光源は、ｍ行×Ｎ列の行列をなして配列され、前記反射面は、前記行列の行方向に沿って上下で対向する２つの水平面と、前記行列の列方向に沿って左右で対向する２つの垂直面とからなる点に第２の特徴がある。
【０００９】
また、同一行内の前記光源を距離Ｄ１で等間隔に配置すると共に、行両端の光源とこれに隣接する前記反射面との距離をそれぞれ距離Ｄ２とした際に、前記距離Ｄ２を、（１／３）×Ｄ１以上かつ（２／３）×Ｄ１以下とした点に第３の特徴がある。
【００１０】
また、同一列内の前記光源を距離Ｓ１で等間隔に配置すると共に、列両端の光源とこれに隣接する前記反射面との距離をそれぞれ距離Ｓ２とした際に、前記距離Ｓ２を、（１／３）×Ｓ１以上かつ（２／３）×Ｓ１以下とした点に第４の特徴がある。
【００１１】
また、同一行内の前記光源を距離Ｄ１で等間隔に配置すると共に、列両端の光源とこれに隣接する前記反射面との距離をそれぞれ距離Ｓ２とした際に、前記距離Ｓ２を、（１／３）×Ｄ１以上かつ（２／３）×Ｄ１以下とした点に第５の特徴がある。
【００１２】
また、同一列内の前記光源を距離Ｓ１で等間隔に配置すると共に、行両端の光源とこれと隣接する前記反射面との距離をそれぞれ距離Ｄ２とした際に、前記距離Ｄ２を、（１／３）×Ｓ１以上かつ（２／３）×Ｓ１以下とした点に第６の特徴がある。
【００１３】
また、一方側の垂直面の反射面の縁端部と前記光源との間の距離と、他方側の垂直面の反射面の縁端部と前記光源との間の距離が異なるように構成されている点に第７の特徴がある。
【００１４】
また、前記基板が、前記２つの垂直面に対して傾斜して配設されている点に第８の特徴がある。
【００１５】
また、複数の光源が配列された基板と、前記光源の照射方向側で前記基板を囲って設けられ、前記光源側の面を反射面とした４つの壁部とを具備し、前記反射面は、前記行列の行方向に沿って上下で対向する２つの水平面と、前記行列の列方向に沿って左右で対向する２つの垂直面とからなり、前記光源は、１行×Ｎ列の行列をなして配列され、前記基板は、前記反射面と略垂直に配設され、前記上下で対向する２つの反射面のうち、上側の反射面の縁端部と前記光源との間の距離を距離ｈ５とすると共に、下側の反射面の縁端部と前記光源との間の距離を距離ｈ６とし、前記上側の反射面と前記光源との間の距離を距離Ｓ３とすると共に、前記下側の反射面と前記光源との間の距離を距離Ｓ４とした際に、前記距離ｈ６を、Ｓ３以上かつｈ５以上とする点に第９の特徴がある。
【００１６】
さらに、前記距離ｈ５をＳ３×（√３）以下とし、前記距離ｈ６をＳ４×（√３）以上とする点に第１０の特徴がある。
【発明の効果】
【００１７】
第１の特徴によれば、複数の光源が配列された基板と、基板の端面から光源の照射方向側に張り出して基板を囲って多角形を形成するように配置された壁部とを備え、壁部のうち少なくとも１つが光源側の面を反射面とするので、灯火装置を、光源の照射方向に対して所定角度を有する斜め方向から見た際に、反射面に光源の反射像が映り、光源の数が実際に見えている数より多く見え、被視認性を高めることができる。また、壁部を反射面として利用するので、複雑な形状の反射面等を設ける必要がなく、簡単な構造によって灯火装置の被視認性を高めることができる。さらに、反射面で１回だけ反射された光源が見えることとなるので、複数回反射された光源を見ることになる方法に比して光り方にムラがなく商品外観性がよくなる。
【００１８】
第２の特徴によれば、光源はｍ行×Ｎ列の行列をなして配列され、反射面は行列の行方向に沿って上下で対向する２つの水平面と、行列の列方向に沿って左右で対向する２つの垂直面とからなるので、光源の照射方向に対して所定角度を有する斜め方向から灯火装置を見た際に、行列をなして配列された光源の一部が、反射面に反射像として映るようになる。これにより、光源の一部が壁部に遮られて見えなくなるような角度から灯火装置を斜めに見た場合でも、他の光源の反射像が代わりに見えることとなり、正面から見た時と同じ数の光源を見せることできる。
【００１９】
第３の特徴によれば、同一行内の光源を距離Ｄ１で等間隔に配置すると共に、行両端の光源とこれに隣接する反射面との距離をそれぞれ距離Ｄ２とした際に、距離Ｄ２を、（１／３）×Ｄ１以上かつ（２／３）×Ｄ１以下としたので、光源の照射方向に対して所定角度を有する左右斜め方向から灯火装置を見た際に、行端の光源の実像とこの実像の反射像との間の距離を、距離Ｄ１に近づけることが可能となる。これにより、灯火装置を斜めから見て、実像と反射像とからなる光源を見たときに、光源の行全体が等間隔に配置されているように見えて、視認者に違和感を生じさせることがなくなる。
【００２０】
第４の特徴によれば、同一列内の光源を距離Ｓ１で等間隔に配置すると共に、列両端の光源とこれに隣接する反射面との距離をそれぞれ距離Ｓ２とした際に、距離Ｓ２を、（１／３）×Ｓ１以上かつ（２／３）×Ｓ１以下としたので、光源の照射方向に対して所定角度を有する斜め方向から灯火装置を見た際に、列端の光源の実像とこの実像の反射像との距離を、距離Ｓ１に近づけることが可能となる。これにより、灯火装置を斜めから見て、実像と反射像とからなる光源を見たときに、光源の列全体が等間隔に見えて、視認者に違和感を生じさせることがなくなる。
【００２１】
第５の特徴によれば、同一行内の光源を距離Ｄ１で等間隔に配置すると共に、列両端の光源とこれに隣接する反射面との距離をそれぞれ距離Ｓ２とした際に、距離Ｓ２を、（１／３）×Ｄ１以上かつ（２／３）×Ｄ１以下としたので、光源の照射方向に対して所定角度を有する斜め方向から灯火装置を見た際に、列端の光源の実像とこの実像の反射像との距離を、距離Ｄ１に近づけることが可能となる。これにより、灯火装置を斜めから見て、実像と反射像とからなる光源を見たときに、光源の列全体が等間隔に見えて、視認者に違和感を生じさせることがなくなる。
【００２２】
第６の特徴によれば、同一列内の光源を距離Ｓ１で等間隔に配置すると共に、行両端の光源とこれと隣接する前記反射面との距離をそれぞれ距離Ｄ２とした際に、距離Ｄ２を、（１／３）×Ｓ１以上かつ（２／３）×Ｓ１以下としたので、光源の照射方向に対して所定角度を有する斜め方向から灯火装置を見た際に、行端の光源の実像とこの実像の反射像との距離を、距離Ｓ１に近づけることが可能となる。これにより、灯火装置を斜めから見て、実像と反射像とからなる光源を見たときに、光源の行全体が等間隔に見えて、視認者に違和感を生じさせることがなくなる。
【００２３】
第７の特徴によれば、一方側の垂直面の反射面の縁端部と光源との間の距離と、他方側の垂直面の反射面の縁端部と光源との間の距離が異なるように構成されているので、灯火装置を、左右斜め前方から見た際の見え方を左右で異ならせることができる。
【００２４】
第８の特徴によれば、基板が２つの垂直面に対して傾斜して配設されているので、灯火装置を、左右斜め前方から見た際の見え方を左右で異ならせることができる。特に、所定角度を有して左右いずれか一方側から見た際に、光源の数が実際の数より多く見えるように構成することができる。
【００２５】
第９の特徴によれば、光源は１行×Ｎ列の行列をなして配列され、基板は反射面と略垂直に配設され、上下で対向する２つの反射面のうち、上側の反射面の縁端部と光源との間の距離を距離ｈ５とすると共に、下側の反射面の縁端部と光源との間の距離を距離ｈ６とし、上側の反射面と光源との間の距離を距離Ｓ３とすると共に、下側の反射面と光源との間の距離を距離Ｓ４とした際に、距離ｈ６を、Ｓ３以上かつｈ５以上とするので、光源の照射方向に対して所定角度を有する斜め上方から灯火装置を見下ろした場合に、光源の実像とこの実像の反射像とが同時に見えるように構成することが可能となる。これにより、灯火装置を斜め上方から見下ろした場合に、光源の数が実際の数より多く見え、灯火装置の被視認性を高めることができる。
【００２６】
第１０の特徴によれば、距離ｈ５を、Ｓ３×（√３）以下とし、距離ｈ６を、Ｓ４×（√３）以上とするので、光源の照射方向に対して３０度上方の角度から灯火装置を見下ろした場合に、光源の実像とこの実像の反射像とが同時に見えるように構成することが可能となる。これにより、光源の数が実際の数より多く見え、灯火装置の被視認性を高めることができる。また、反射面の縁端部から光源までの長さを最小限に留めつつ、光源の実像とこの実像の反射像とが同時に見えるように構成することができる。
【発明を実施するための最良の形態】
【００２７】
以下、図面を参照して本発明の好ましい実施の形態について詳細に説明する。図１は、本発明の第１実施形態に係る灯火装置３０と、本発明の第２実施形態に係る灯火装置９０とが配設された自動二輪車１の側面図である。車体フレーム２の車体前方側には、前輪ＷＦを回転自在に軸支する左右一対のフロントフォーク３が、操向ハンドル４によって操舵可能に取り付けられている。操向ハンドル４の車体前方側には、メータユニット６およびヘッドライト７が取り付けられており、この両者の間の位置に灯火装置３０が取り付けられている。灯火装置３０は、発光ダイオード等の光源の照射光により、他車の乗員や歩行者等の視認者に対して、自動二輪車１の存在を認識させる信号灯として機能する。なお、この図の例では、車幅方向中央に１つの灯火装置３０を設けているが、例えば、車幅方向に左右一対に取り付ける等により複数を設けてもよい。
【００２８】
車体フレーム２には、自動二輪車１の駆動源としてのエンジン８が懸架されており、エンジン８の上部には燃料タンク５が配設されている。車体フレーム２の後方下部には、駆動輪としての後輪ＷＲを回転自在に軸支するスイングアーム１８の一端を揺動自在に軸支するスイングアームピボット１７が設けられている。また、燃料タンク５の車体後方側には、乗員シート９が取り付けられ、その下方には外装部品としてのシートカウル１０が配設されている。エンジン８の燃焼ガスは、車体後方側へ延びる排気管を介してマフラ１９から排出される。シートカウル１０後端の尾灯装置（不図示）の上部には、灯火装置９０が取り付けられている。灯火装置９０も、車体前方側の灯火装置３０と同様に、他車の乗員や歩行者等に対して自動二輪車１の存在を認識させる信号灯として機能すると共に、車両後方側を照射方向として１つまたは複数設けることができる。
【００２９】
図２は、本発明の第１実施形態に係る灯火装置３０の斜視図である。また、図３は灯火装置３０の正面図であり、図４は図３のＡ−Ａ線断面図である。灯火装置３０は、複数の光源が配列された基板３２を、板状の樹脂等で形成されたハウジング３１に保持して構成されている。本実施形態では、光源に発光ダイオード（ＬＥＤ）を使用しているが、白熱電球等で構成してもよい。また、光源の照射光の色や指向性の強さは、灯火装置の用途等に合わせて任意に変更することができる。
【００３０】
ハウジング３１は、基板３２の四方を囲うように設けられた、上側壁部３１Ｔ、下側壁部３１Ｕ、左側壁部３１Ｌ、右側壁部３１Ｒおよび後側壁部（不図示）とからなる。また、上側壁部３１Ｔおよび下側壁部３１Ｕが上下で対向する２つの水平面をなすと共に、左側壁部３１Ｌおよび右側壁部３１Ｒが左右で対向する２つの垂直面をなすことで、直方体の１面を取り除いて開口部を設けた箱状とされている。
【００３１】
ハウジング３１の車体前方側、すなわち、光源の照射方向に設けられた開口部には、ハウジング３１の内部に水分や埃等の侵入することを防ぐカバーレンズ３３が取り付けられている。カバーレンズ３３は、無色透明または有色透明の樹脂板等からなり、光源の照射光を屈曲させることなく透過させるように構成されている。また、本実施形態では、基板３２が４つの壁部と垂直に配置されており、各光源とカバーレンズ３３との間の距離はｈ１とされている。ハウジング３１の後側壁部には、光源に電源を供給する配線３５が取り付けられている。
【００３２】
本実施形態に係る灯火装置３０においては、４つの壁部３１Ｔ、３１Ｕ、３１Ｌ、３１Ｒにおいて、基板３２の端面から光源の照射方向側に張り出した部分の内壁面、すなわち、光源側の面が、光を全反射することができる反射面３１ＴＮ、３１ＵＮ、３１ＬＮ、３１ＲＮ（図４，７参照）とされている点に特徴がある。この反射面は、メッキや金属蒸着等の手法によって鏡面仕上げとするのが好ましい。
【００３３】
基板３２には、２行×４列の行列をなして、計８個の発光ダイオードからなる光源１１，１２，１３，１４，２１，２２，２３，２４が配設されている。同一行内の光源は、距離Ｄ１で等間隔に配置されており、行端の光源とこれに隣接する反射面との間の距離が、それぞれ距離Ｄ２とされている。また、同一列内の光源は、距離Ｓ１の間隔を有して配置されており、列端の光源とこれに隣接する反射面との間の距離が、それぞれ距離Ｓ２とされている。
【００３４】
この灯火装置３０を車両正面から見ると図３のように見える。しかしながら、車両正面から水平方向に移動して左右の斜め方向から見ると、ある角度を超えた時点で、列端の光源が壁部で遮られて見えなくなる。図４では、灯火装置３０と視認者の視点とがなす角度が角度θ１を超えると、図示左側の列端の光源１１，２１が、右側壁部３１Ｒに遮られて見えなくなることを示す。
【００３５】
図５は、灯火装置３０と視認者の視点とがなす角度が、前記角度θ１より大きい所定角度θ２となる状態を示す説明図である。また、図６は、この所定角度θ２を有する右斜め前方の位置から、灯火装置３０を見た際の見え方を示す斜視図である。この場合、図示左側の列端の光源１１，２１は、右側壁部３１Ｒに隠れて見えなくなっている。しかしながら、図示右側の列端の光源１４，２４が、左側壁部３１Ｌの反射面３１ＬＮに反射して反射像１４Ｋ，２４Ｋが見えるので、灯火装置３０の視認者は、光源の数が基板に配設されている数と同じ８個あるように見える。この図では、灯火装置３０を右斜め前方から見た場合の例を示しているが、左斜め前方から見た場合も同様となる。
【００３６】
このとき、距離Ｄ２が距離Ｄ１の半分（１／２）の長さに設定されていると、光源１４と反射像１４Ｋとの間の距離（光源２４と反射像２４Ｋとの間の距離）を、距離Ｄ１に近づけることができる。本実施形態では、この距離Ｄ２を、（１／３）×Ｄ１以上かつ（２／３）×Ｄ１以下に設定することによって、視認者が斜め前方から灯火装置３０を見た際にも、光源の行全体が等間隔に配置されているように見せることを可能とし、これにより、視認者に違和感を生じさせることを防いでいる。
【００３７】
なお、灯火装置３０と視認者の視点とがなす角度が角度θ１を超える前の状態では、視認者からは反射面３１ＬＮがほとんど見えないので、光源１４，２４の照射光が反射面３１ＬＮに反射していたとしても、視認者からは見えないこととなる。
【００３８】
図７は、灯火装置３０を、灯火装置３０と視認者の視点とが所定角度をなすように前方斜め上方から見た場合の見え方を示す斜視図である。この場合、図示上側の行の光源１１，１２，１３，１４は、上側壁部３１Ｔに隠れて見えなくなっている。しかしながら、図示下側の行の光源２１，２２，２３，２４が下側壁部３１Ｕの反射面３１ＵＮに反射して、反射像２１Ｋ，２２Ｋ，２３Ｋ，２４Ｋが見えるので、灯火装置３０の視認者は、光源の数が、基板に配設されている数と同じ８個あるように見えることとなる。この見え方は、灯火装置３０を斜め下方から見た場合にも同様となる。
【００３９】
このとき、距離Ｓ２が距離Ｓ１の半分（１／２）の長さに設定されていると、光源２１と反射像２１Ｋとの間の距離（他の光源も同様）を、距離Ｓ１に近づけることができる。本実施形態では、この距離Ｓ２を、（１／３）×Ｓ１以上かつ（２／３）×Ｓ１以下に設定することによって、視認者が斜め上方から灯火装置３０を見た際にも、光源の列全体が等間隔に配置されているように見せることを可能とし、これにより、視認者に違和感を生じさせることを防いでいる。
【００４０】
なお、基板３２に配設する光源の数を増やして、例えば、３行×５列の行列をなすようにしても、列端の光源の実像とその反射像の見え方、および、行端の光源の実像とその反射像の見え方は変わらない。
【００４１】
図８は、本発明の第１実施形態の第１変形例に係る灯火装置４０の正面図である。また、図９は図８のＢ−Ｂ線断面図である。前記と同一符号は、同一または同等部分を示す。ハウジング４１を構成する壁部４１Ｔ，４１Ｕ，４１Ｌ，４１Ｒや、この４つの壁部のそれぞれに形成された反射面、カバーレンズ４３の形状等は、前記第１実施形態の灯火装置３０のものと同一である。本変形例では、基板４２が、右側壁部４１Ｒおよび左側壁部４１Ｌに対して傾斜されて取り付けられており、これにより、光源１１，２１とカバーレンズ４３との間の距離ｈ１より、光源１４，２４とカバーレンズ４３との間の距離ｈ２の方が大きくなっている。本変形例では、図９に示すように、灯火装置４０と視認者の視点とがなす角度が角度θ３を超えると、図示左側の列端の光源１１，２１が、右側壁部４１Ｒに遮られて見えなくなる。
【００４２】
図１０は、灯火装置４０と視認者の視点とがなす角度が、角度θ３より大きい角度θ４となる状態を示す説明図である。この場合、図示左側の列端の光源１１，２１は、右側壁部４１Ｒに隠れて見えなくなっている。しかしながら、図示右側の列端の光源１４，２４が、左側壁部４１Ｌの反射面４１ＬＮに反射して反射像１４Ｋ，２４Ｋが見えるので、灯火装置４０の視認者は、光源の数が、基板に配設されている数と同じ８個あるように見える。これと同様に、灯火装置４０を左斜め前方から見た際には、図示右側の光源１４，２４が左側壁部４１Ｌに隠れて見えなくなる一方、図示左側の光源１１，２１が、右側壁部４１Ｒの反射面４１ＲＮに反射して反射像１４Ｋ，２４Ｋが見える。
【００４３】
この変形例、すなわち、基板４２が左側壁部４１Ｌおよび右側壁部４１Ｒに対して斜めに配置されている場合でも、距離Ｄ２を、（１／３）×Ｄ１以上かつ（２／３）×Ｄ１以下に設定することで、左右斜め前方から灯火装置４０を見た際に光源の行全体が等間隔に配置されているように見せることができる。また、距離Ｓ２を、（１／３）×Ｓ１以上かつ（２／３）×Ｓ１以下に設定することで、上下斜め前方から灯火装置４０を見た際に光源の列全体が等間隔に配置されているように見せることができる。
【００４４】
図１１は、本発明の第１実施形態の第２変形例に係る灯火装置５０の正面図である。また、図１２は、図１１のＣ−Ｃ線断面図である。前記と同一符号は、同一または同等部分を示す。ハウジング５１は、壁部５１Ｔ，５１Ｕ，５１Ｌ，５１Ｒで構成され、この４つの壁部にそれぞれ反射面が形成されている。本変形例では、基板５２が、右側壁部５１Ｒおよび左側壁部５１Ｌに対して傾斜して取り付けられるだけでなく、カバーレンズ５３も右側壁部５１Ｒおよび左側壁部５１Ｌに対して傾斜して取り付けられている。これにより、光源１１，２１とカバーレンズ５３との間の距離ｈ３より、光源１４，２４とカバーレンズ５３との間の距離ｈ４の方が大きくなっている。
【００４５】
本変形例では、図１２に示すように、灯火装置５０と視認者の視点とがなす角度が角度θ５に到達した時点では、図示左側の列端の光源１１，２１がまだ見えている。しかしながら、この時点において、図示右側の列端の光源１４，２４が、左側壁部５１Ｌの反射面５１ＬＮに反射して反射像１４Ｋ，２４Ｋが見えるので、灯火装置５０の視認者は、基板に配設されている数より多い計１０個の光源を視認することが可能となり、灯火装置５０の被視認性をさらに高めることができる。
【００４６】
この変形例、すなわち、基板５２およびカバーレンズ５３が、左側壁部５１Ｌおよび右側壁部５１Ｒに対して斜めに配置されている構成であっても、距離Ｄ２を、（１／３）×Ｄ１以上かつ（２／３）×Ｄ１以下に設定することで、左右斜め前方から灯火装置５０を見た際に光源の行全体が等間隔に配置されているように見せることができる。また、距離Ｓ２を、（１／３）×Ｓ１以上かつ（２／３）×Ｓ１以下に設定することで、上下斜め前方から灯火装置５０を見た際に光源の列全体が等間隔に配置されているように見せることができる。なお、灯火装置５０は、特に、車両の車幅方向左右に対称に配置すると、視認者が灯火装置を見た際に、基板に配設されている数より多い数の光源を視認する機会が増えることとなり好適である。
【００４７】
なお、上記した第１実施形態、第１実施形態の第１変形例および第２変形例においては、距離Ｓ２を、（１／３）×Ｄ１以上かつ（２／３）×Ｄ１以下に設定したり、また、距離Ｄ２を、（１／３）×Ｓ１以上かつ（２／３）×Ｓ１以下に設定することによって、灯火装置を斜め方向から見た際に、光源の行および列の全体が等間隔に配置されているように見せることが可能となる。
【００４８】
図１３は、本発明の第２実施形態に係る灯火装置９０の斜視図である。また、図１４は灯火装置９０の正面図であり、図１５は図１４のＤ−Ｄ線断面図である。灯火装置９０は、１行３列の光源１１，１２，１３が配列された基板９２をハウジング９１に保持して構成されている。ハウジング９１は、基板９２の四方を囲うように設けられた、上側壁部９１Ｔ、下側壁部９１Ｕ、左側壁部９１Ｌ、右側壁部９１Ｒおよび後側壁部（不図示）とからなる。また、上側壁部９１Ｔおよび下側壁部９１Ｕが上下で対向する２つの水平面をなすと共に、左側壁部９１Ｌおよび右側壁部９１Ｒが左右で対向する２つの垂直面をなすことで、直方体の一部を、左側壁部９１Ｌおよび右側壁部９１Ｒに対して垂直な平面で斜めに切り取ったような形状とされている。
【００４９】
ハウジング９１の車体前方側には、無色透明または有色透明のカバーレンズ９３が取り付けられている。なお、ハウジング９１の後側壁部には、光源に電源を供給する配線９５が取り付けられている。
【００５０】
灯火装置９０は、４つの壁部９１Ｔ、９１Ｕ、９１Ｌ、９１Ｒにおいて、基板９２の端面から光源の照射方向側に張り出した部分の内壁面が、光を全反射する反射面９１ＴＮ、９１ＵＮ、９１ＬＮ（不図示）、９１ＲＮ（不図示）とされている。基板９２は、４つの壁部と垂直に配置されている。本実施形態では、上下で対向する２つの反射面の長さが異なり、上側の反射面９１ＴＮの縁端部と光源との間の距離ｈ５より、下側の反射面９１ＵＮの縁端部と光源との間の距離ｈ６の方が大きく設定されている。
【００５１】
基板９２には、１行×３列の行列をなして、計３個の発光ダイオードからなる光源１１，１２，１３が配設されている。同一行内の光源は、距離Ｄ１で等間隔に配置されており、行端の光源とこれに隣接する反射面との間の距離が、それぞれ距離Ｄ２とされている。また、上側の反射面９１ＴＮと各光源との間の距離を距離Ｓ３とし、下側の反射面９１ＵＮと各光源との間の距離が距離Ｓ４とされている。なお、本実施形態では、距離Ｓ３とＳ４とが同一に設定されている。
【００５２】
本実施形態に係る灯火装置９０は、灯火装置９０と視認者の視点とがなす角度が角度θ６となる斜め上方の位置から見た際に、光源１１，１２，１３の実像および反射像の両方が見えるように構成されている。これを実現するため、距離ｈ６が、Ｓ３以上かつｈ５以上となるように設定されている。これは、灯火装置９０を斜め上方から見た際に、実像が見えなくなる角度αが、ａｒｃｔａｎ（Ｓ３／ｈ５）以上となる位置であると共に、反射像が見える角度βが、ａｒｃｔａｎ（Ｓ４／ｈ６）以上となる位置であることを理由とする。
【００５３】
さらに、本実施形態に係る灯火装置９０では、被視認者に見下ろされる頻度が高い角度を３０度と設定し、この時に光源１１，１２，１３の実像および反射像の両方が確実に見えるように構成されている。これを実現するため、距離ｈ５を、Ｓ３×（√３）以下となるような設定すると共に、距離ｈ６を、Ｓ４×（√３）以上とするように設定している。これは、ａｒｃｔａｎ（Ｓ４／ｈ６）が３０度以下であることから、距離ｈ６を、Ｓ４×（√３）以上とすることが導き出されることを第１の理由とする。そして、この時にまだ光源の実像も見えているようにするために、ａｒｃｔａｎ（Ｓ３／ｈ５）が３０度以上であることから、距離ｈ５を、Ｓ３×（√３）以下とすることが導き出されることを第２の理由とするものである。
【００５４】
図１６は、灯火装置９０と視認者の視点とがなす角度が角度θ６（本実施形態では３０度）となる斜め上方の位置から、灯火装置９０を見た場合の見え方を示す斜視図である。この場合、光源１１，１２，１３が実像として見えるだけでなく、下側壁部９１Ｕの反射面９１ＵＮに反射して反射像１１Ｋ，１２Ｋ，１３Ｋも見えるので、灯火装置９０の視認者は、光源の数が基板に配設されている数の２倍の６個あるように見える。
【００５５】
図１７は、灯火装置９０と視認者の視点とがなす角度が前記角度θ６より大きくなる位置から、灯火装置９０を見た場合の見え方を示す斜視図である。この場合、光源１１，１２，１３は、上側壁部９１Ｔに隠れて見えなくなっている。しかしながら、反射面９１ＵＮに反射して反射像１１Ｋ，１２Ｋ，１３Ｋが見えるので、灯火装置９０の視認者は、光源の数が基板に配設されている数と同じ３個あるように見える。
【００５６】
上記したように、本発明の第２実施形態に係る灯火装置９０は、斜め上方から見た場合にその被視認性が大きく高まるので、図１に示したように、尾灯装置の周囲等に取り付けると、特に、後続車両の乗員に対する被視認性を高めることが可能となる。なお、灯火装置９０は、自動二輪車１（図１参照）の車体前方側等に取り付けてもよい。例えば、光源の照射方向を車体前方側に向けてフロントフォーク３の中腹部等に取り付ければ、ハウジング９１の開口部の傾斜角度とフロントフォーク３の傾斜角度とが近似して、デザイン上違和感なく灯火装置９０を配設することができる。
【００５７】
図１８は、本発明に係る灯火装置３０が配設された自動二輪車１の正面図である。自動二輪車１の左右一対のバックミラー１５には、車幅等としてのポジションランプ１６が、その照射方向を車体前方側に向けて取り付けられている。そして、この図の例では、前記した第１実施形態に係る灯火装置３０が、フロントフォーク３の下端部に左右一対に配設されている。このような灯火装置３０の配設位置によれば、車体上方側の２つのポジションランプ１６と、車体下方側の２つの灯火装置３０とが台形（図示斜線部）の４つの頂点をなして配置される。これにより、灯火類による照射点が、車幅方向および車体上下方向に分散配置されることとなり、他車の乗員や歩行者等に対する自動二輪車１の被視認性を高めることが可能となる。
【００５８】
なお、第１実施形態に係る灯火装置３０および第２実施形態に係る灯火装置９０の配設個数や配設位置は種々の変形が可能であり、例えば、図１８に示す灯火装置３０の位置に、第２実施形態に係る灯火装置９０を配設することもできる。
【００５９】
なお、灯火装置の車体への取り付け位置や取り付け角度、灯火装置のハウジングの形状や材質、ハウジングの壁部の形状や寸法比率、光源の数や配置、基板の形状や配置等は、上記した実施形態に限られず、種々の変更が可能である。例えば、光源の配置を列数より行数が多くなるようにして、縦方向に長い灯火装置を形成してもよい。また、第２実施形態で示したような灯火装置を、光源が３行×１列となるように縦方向に配設して使用してもよい。さらに、灯火装置のハウジングは、上記実施形態で示した四角形に限られず、六角形等の多角形で構成してもよい。
【図面の簡単な説明】
【００６０】
【図１】本発明に係る灯火装置が配設された自動二輪車の側面図である。
【図２】本発明の第１実施形態に係る灯火装置の斜視図である。
【図３】灯火装置の正面図である。
【図４】図３のＡ−Ａ線断面図である。
【図５】灯火装置と視認者の視点とがなす角度が、角度θ１より大きい所定角度θ２となる状態を示す説明図である。
【図６】灯火装置を斜め右前方から見た場合の見え方を示す斜視図である。
【図７】灯火装置を斜め上方から見た場合の見え方を示す斜視図である。
【図８】本発明の第１実施形態の第１変形例に係る灯火装置の正面図である。
【図９】図８のＢ−Ｂ線断面図である。
【図１０】灯火装置と視認者の視点とがなす角度が、角度θ３より大きい角度θ４となる状態を示す説明図である。
【図１１】本発明の第１実施形態の第２変形例に係る灯火装置の正面図である。
【図１２】図１１のＣ−Ｃ線断面図である。
【図１３】本発明の第２実施形態に係る灯火装置の斜視図である。
【図１４】灯火装置の正面図である。
【図１５】図１４のＤ−Ｄ線断面図である。
【図１６】灯火装置と視認者の視点とがなす角度が角度θ６となる斜め上方の位置から灯火装置を見た場合の見え方を示す斜視図である。
【図１７】灯火装置と視認者の視点とがなす角度が角度θ６より大きくなる位置から灯火装置を見た場合の見え方を示す斜視図である。
【図１８】本発明に係る灯火装置が配設された自動二輪車の正面図である。
【符号の説明】
【００６１】
１…自動二輪車、１１，１２，１３，１４，２１，２２，２３，２４…光源、３０…灯火装置（第１実施形態）、３１…ハウジング、３１Ｔ…上側壁部、３１Ｕ…下側壁部、３１Ｌ…左側壁部、３１Ｒ…右側壁部、３１ＴＮ，３１ＵＮ，３１ＬＮ，３１ＬＲ…反射面、３２…基板、３３…カバーレンズ、９０…灯火装置（第２実施形態）、９１…ハウジング、９１Ｔ…上側壁部、９１Ｕ…下側壁部、９１Ｌ…左側壁部、９１Ｒ…右側壁部、９１ＴＮ，９１ＵＮ…反射面、９２…基板、９３…カバーレンズ
【図１】
0004982808.tif 000002
【図２】
0004982808.tif 000003
【図３】
0004982808.tif 000004
【図４】
0004982808.tif 000005
【図５】
0004982808.tif 000006
【図６】
0004982808.tif 000007
【図７】
0004982808.tif 000008
【図８】
0004982808.tif 000009
【図９】
0004982808.tif 000010
【図１０】
0004982808.tif 000011
【図１１】
0004982808.tif 000012
【図１２】
0004982808.tif 000013
【図１３】
0004982808.tif 000014
【図１４】
0004982808.tif 000015
【図１５】
0004982808.tif 000016
【図１６】
0004982808.tif 000017
【図１７】
0004982808.tif 000018
【図１８】
0004982808.tif 000019